(57)【要約】【課題】  透光性が異なる複数の表示素子を配置する場合においても、表示素子間に生じる隙間を小さくして、表示品位を向上することができる表示装置を提供する。【解決手段】  第一の表示部２０、第二の表示部３０と、第一，第二の表示部を照明する発光素子５１を有する回路基板５０と、照明光を第一，第二の表示部の背面に導く照明部材とを備え、照明部材は、照明光を第一の照度で第一の表示部２０の背面に導く第一の照明部６０と、照明光を第二の照度で第二の表示部３０の背面に導く第二の照明部７０と、を有する。【選択図】  図２
2016024333.tif 000002
【特許請求の範囲】
【請求項１】
第一の情報を表示する第一の表示部と、
前記第一の表示部に隣接して配置され、第二の情報を表示する第二の表示部と、
前記第一，第二の表示部を照明する発光素子を有する回路基板と、
前記発光素子が発した光を前記第一，第二の表示部の背面に導く照明部材と
を備え、
前記照明部材は、前記発光素子が発した光を第一の照度で前記第一の表示部の背面に導く第一の照明部と、前記発光素子が発した光を第二の照度で前記第二の表示部の背面に導く第二の照明部と、を有することを特徴とする表示装置。
【請求項２】
前記第一の照明部は、前記発光素子が発した光を前記第一の表示部の背面に導く導光体を有し、前記第二の照明部は、前記発光素子が発した光を前記第二の表示部の背面に向けて反射させる反射面を有することを特徴とする請求項１に記載の表示装置。
【発明の詳細な説明】
【技術分野】
【０００１】
本発明は、複数の表示部を備えた表示装置に関するものである。
【背景技術】
【０００２】
所定情報を表示可能な液晶表示パネルと、液晶表示パネルを覆うように液晶表示パネル表面に配置される指標部を備えた表示板を、透明樹脂によって接合した車両用表示装置が提案されており、例えば特許文献１に開示されている。
【先行技術文献】
【特許文献】
【０００３】
【特許文献１】特許第５３８１４４６号公報
【発明の概要】
【発明が解決しようとする課題】
【０００４】
表示情報の多様化に伴い、表示装置内での表示の広範囲化が必要となり、大型又は複数の液晶表示パネルを使用する必要が生じていた。液晶表示パネルを複数配置するためには、個々のバックライトサイズを考慮し、液晶表示パネルの固定位置を決める必要があった。液晶表示パネルの表示可能範囲を均一に照明するためには、液晶表示パネルを上回るサイズのバックライトが必要である。同種の液晶表示パネルを用いる場合、複数の液晶表示パネルで大型のバックライトを共用し隣接配置することは可能であるが、異種の液晶表示パネル等で透光性が異なる場合、別々のバックライトが必要であるため液晶表示パネルを隣接配置することができず、液晶表示パネル間に隙間が生じていた。
【０００５】
本発明は、透光性が異なる複数の表示部を配置する場合においても、表示部を隣接配置させることにより表示部の間に生じる隙間を小さくして、表示品位を向上することができる表示装置を提供するものである。
【課題を解決するための手段】
【０００６】
本発明は、第一の情報を表示する第一の表示部と、前記第一の表示部に隣接して配置され、第二の情報を表示する第二の表示部と、前記第一，第二の表示部を照明する発光素子を有する回路基板と、前記発光素子が発した光を前記第一，第二の表示部の背面に導く照明部材とを備え、前記照明部材は、前記発光素子が発した光を第一の照度で前記第一の表示部の背面に導く第一の照明部と、前記発光素子が発した光を第二の照度で前記第二の表示部の背面に導く第二の照明部と、を有することを特徴とする。
【０００７】
また、本発明は、前記第一の照明部は、前記発光素子が発した光を前記第一の表示部の背面に導く導光体を有し、前記第二の照明部は、前記発光素子が発した光を前記第二の表示部の背面に向けて反射させる反射面を有することを特徴とする。
【発明の効果】
【０００８】
透光性が異なる複数の表示部を配置する場合においても、表示部を隣接配置させることにより表示部の間に生じる隙間を小さくして、表示品位を向上することができる。
【図面の簡単な説明】
【０００９】
【図１】本発明の第１実施形態を示す表示装置Ａ、第２実施形態を示す表示装置Ｂの前面図。
【図２】表示装置Ａにおける図１のａ−ａ断面図
【図３】表示装置Ａにおける図２のｂ拡大図
【図４】表示装置Ａ，Ｂのシステム構成を示すブロック図。
【図５】表示装置Ｂにおける図１のａ−ａ断面図
【発明を実施するための形態】
【００１０】
（第１実施形態）以下、図１〜４に基づいて、本発明の一実施形態を説明する。
【００１１】
表示装置Ａは、表示板１０と、第一の表示部２０と、第二の表示部３０と、下ケース４０と、回路基板５０と、発光素子５１と、バックライトケース６１、導光体６２、反射シート６３、拡散シート６４からなる照明部材で主に構成され、車両のインストルメントパネルに設けられる。
【００１２】
回路基板５０は、第一の表示部２０、第二の表示部３０、発光ダイオード５１と電気的に接続され、表示装置Ａの制御を行うためのマイクロコンピュータ等の制御素子５２を含む第一の表示部２０の表示駆動回路５３、第二の表示部３０の表示駆動回路５４及び発光ダイオード５１の照明駆動回路５５を実装し、下ケース４０に保持される。
【００１３】
回路基板５０には、外部コネクタが実装されており、車両側と電気的に接続される。表示装置Ａは、外部コネクタを介して電源や車両情報に関する信号等を入力し、これらの信号等を制御素子５２を含む表示駆動回路５３，５４、照明駆動回路５５により処理を行い、所定の表示を行うことができる。
【００１４】
表示装置Ａの照明部材は、ポリカーボネートなどの透明樹脂からなる導光体６２と、ポリプロピレンなどの白色合成樹脂からなる反射シート６３、ポリプロピレンなどの白色合成樹脂からなる拡散シート６４からなり、発光ダイオード５１が発した光を、第一の表示部２０の背面に導き、第一の表示部２０を第一の照度で照明する第一の照明部６０と、第二の表示部３０の背面に導き、第二の表示部３０を第二の照度で照明する第二の照明部７０で構成され、バックライトケース６１に格納される。導光体６２の表面構造は、第一，第二の照度に適するように第一の照明部６０，第二の照明部７０で異なっている。
【００１５】
第一の表示部２０は、ドットマトリクス型液晶表示パネルで構成されており、発光ダイオード５１が発した照明光は第一の照明部６０を介して液晶表示パネル背面に導かれ、第一の照度で均一に透過照明される。
【００１６】
第二の表示部３０は、セグメント型液晶表示パネルで構成されており、発光ダイオード５１が発した照明光は第一の照明部６０、第二の照明部７０を介して液晶表示パネル背面に導かれ、第二の照度で均一に透過照明される。
【００１７】
表示板１０は、透光性の無機ガラスからなり、表面側に指標部を備えていても良い。
【００１８】
表示板１０の裏面には、第一の表示部２０、第二の表示部３０が隣接して配置され、第一，第二の表示部２０，３０は無色透明で接着作用を持つ透光性スペーサー１２を介してオプティカルボンディングされ、表示板１０に固定されている。表示板１０裏面の、第一，第二の表示部２０，３０が固定された以外の箇所には光を透過しない遮光層１１が設けられており、第一の表示部２０、第二の表示部３０による表示以外は表示板前面から視認できなくなっている。遮光層１１は黒色インクの３層構造である。
【００１９】
下ケース４０は、透明や半透明など光透過性の合成樹脂材を適用することができ、表示板１０の組み付け位置を開口し、下ケース４０の内側に回路基板５０、バックライトケース６１に格納された照明部材、第一の表示部２０、第二の表示部３０を裏面に固定した表示板１０を固定手段やビスなどを用いて保持することができる。
【００２０】
第一の照度、第二の照度を適切に設定することにより、表示装置Ａの前面から見た第一の表示部２０、第二の表示部３０の表示可能領域が隙間なく同一の表示部であるかのように視認できる。
【００２１】
このような構成によって、透光性が異なる第一の表示部２０、第二の表示部３０を隣接配置することができる。
【００２２】
したがって、透光性が異なる第一，第二の表示部２０，３０を配置する場合においても、第一，第二の表示部２０，３０を隣接配置させることにより第一，第二の表示部２０，３０間に生じる隙間を小さくして、表示品位を向上することができる。
【００２３】
（第２実施形態）以下、図１，図４，図５を用いて、本発明の一実施形態を説明する。
【００２４】
表示装置Ｂは、表示板１０と、第一の表示部２０と、第二の表示部３０と、下ケース４０と、回路基板５０と、発光素子５１と、バックライトケース６１、導光体６２、拡散シート６４、反射面６５からなる照明部材で主に構成され、車両のインストルメントパネルに設けられる。
【００２５】
回路基板５０は、第一の表示部２０、第二の表示部３０、発光ダイオード５１と電気的に接続され、表示装置Ｂの制御を行うためのマイクロコンピュータ等の制御素子５２を含む第一の表示部２０の表示駆動回路５３、第二の表示部３０の表示駆動回路５４及び発光ダイオード５１の照明駆動回路５５を実装し、下ケース４０に保持される。
【００２６】
回路基板５０には、外部コネクタが実装されており、車両側と電気的に接続される。表示装置Ｂは、外部コネクタを介して電源や車両情報に関する信号等を入力し、これらの信号等を制御素子５２を含む表示駆動回路５３，５４、照明駆動回路５５により処理を行い、所定の表示を行うことができる。
【００２７】
表示装置Ｂの照明部材は、ポリカーボネートなどの透明樹脂からなる導光体６２と、ポリプロピレンなどの白色合成樹脂からなる拡散シート６４、ポリプロピレンなどの白色合成樹脂からなるバックライトケース６１に設けた反射面６５からなり、発光ダイオード５１が発した光を、第一の表示部２０の背面に導き、第一の表示部２０を第一の照度で照明する第一の照明部６０と、第二の表示部３０の背面に導き、第二の表示部３０を第二の照度で照明する第二の照明部７０で構成され、バックライトケース６１に格納される。第一の照明部６０は、発光素子５１が発した光を第一の表示部２０の背面に導く導光体６２を有する。第二の照明部７０は、発光素子５１が発した光を第二の表示部３０の背面に向けて反射させる反射面６５を有する。
【００２８】
第一の表示部２０は、ドットマトリクス型液晶表示パネルで構成されており、発光ダイオード５１が発した照明光は第一の照明部６０を介して液晶表示パネル背面に導かれ、第一の照度で均一に透過照明される。
【００２９】
第二の表示部３０は、セグメント型液晶表示パネルで構成されており、発光ダイオード５１が発した照明光は第一の照明部６０、第二の照明部７０を介して液晶表示パネル背面に導かれ、第二の照度で均一に透過照明される。
【００３０】
表示板１０は、透光性の無機ガラスからなり、表面側に指標部を備えていても良い。
【００３１】
表示板１０の裏面には、第一の表示部２０、第二の表示部３０が隣接して配置され、第一，第二の表示部２０，３０は無色透明で接着作用を持つ透光性スペーサー１２を介してオプティカルボンディングされ、表示板１０に固定されている。表示板１０裏面の、第一，第二の表示部２０，３０が固定された以外の箇所には光を透過しない遮光層１１が設けられており、第一の表示部２０、第二の表示部３０による表示以外は表示板前面から視認できなくなっている。遮光層１１は黒色インクの３層構造である。
【００３２】
下ケース４０は、透明や半透明など光透過性の合成樹脂材を適用することができ、表示板１０の組み付け位置を開口し、下ケース４０の内側に回路基板５０、バックライトケース６１に格納された照明部材、第一の表示部２０、第二の表示部３０を裏面に固定した表示板１０を固定手段やビスなどを用いて保持することができる。
【００３３】
第一の照度、第二の照度を適切に設定することにより、表示装置Ｂの前面から見た第一の表示部２０、第二の表示部３０の表示可能領域が隙間なく同一の表示部であるかのように視認できる。
【００３４】
このような構成によって、透光性が異なる第一の表示部２０、第二の表示部３０を隣接配置することができる。
【００３５】
したがって、透光性が異なる第一，第二の表示部２０，３０を配置する場合においても、第一，第二の表示部２０，３０を隣接配置させることにより第一，第二の表示部２０，３０間に生じる隙間を小さくして、表示品位を向上することができる。
【００３６】
なお、本発明の表示装置を上述した実施形態の構成を例に挙げて説明したが、本発明はこれに限定されるものではなく、他の構成においても、本発明の要旨を逸脱しない範囲において種々の改良、並びに設計の変更が可能なことは言うまでもない。
【符号の説明】
【００３７】
１０    表示板
１１    遮光層
１２    透光性スペーサー
２０    第一の表示部
３０    第二の表示部
４０    下ケース
５０    回路基板
５１    発光素子
５２    制御素子
５３    表示駆動回路
５４    表示駆動回路
５５    照明駆動回路
５６    インタフェース回路
６０    第一の照明部
６１    バックライトケース
６２    導光体
６３    反射シート
６４    拡散シート
６５    反射面
７０    第二の照明部
【図１】
2016024333.tif 000003
【図２】
2016024333.tif 000004
【図３】
2016024333.tif 000005
【図４】
2016024333.tif 000006
【図５】
2016024333.tif 000007